(57)【要約】      （修正有）【課題】ＡＣ電源が活用できるころでは、工具等にＡＣ電源やＤＣ電源を供給し、ＡＣ電源の無いところでは、バッテリにより機能できるオーディオ電源ユニットを提供する。【解決手段】電源ユニットがＡＣ電源に接続されると、ラジオやＣＤプレーヤの組み合わせであるオーディオユニット３０を駆動するとともにバッテリパックが充電ソケット９４内に挿入されると、充電器８４によりバッテリパックを充電する。当該ユニットがＡＣ電源に接続されていない場合には、ラジオ等はバッテリパックによって電源を供給される。当該ユニットがＡＣ電源に接続されている時には、リレー１５０は、開かれてオーディオユニット３０を充電器８４及びバッテリパックから切り離される。当該ユニットは、当該ユニットのハウジングに接続されている独特の保護フレーム構造を有している。【選択図】図９
2011152039.tif 000002
【特許請求の範囲】
【請求項１】
多数の壁（１２，１４，２０，２２）、頂部（１６）及び底部を有するハウジング（１０）と、
充電可能な手工具その他の工具に電力を供給するために使用されるタイプの取り外し可能なバッテリパックを充電するために前記ハウジング（１０）内に配置されている充電器（８４）と、
当該充電器（８４）に作動可能に結合されており且つ前記充電器（８４）によって充電されるように取り外し可能なバッテリパックを収容することができるソケット（９４）と、
前記ハウジング（１０）内に配置されてオーディオ信号を発生するオーディオユニット（３０）と、
ＡＣ電源に接続するためのコード（７０）及びプラグ（７２）と、
前記コード（７０）を前記充電器（８４）及び前記オーディオユニット（３０）に接続し、それによって、前記オーディオユニット（３０）にＡＣ電源を適用し当該オーディオユニット（３０）に電力が供給され、且つＡＣ電源が前記充電器（８４）にも適用されるようにした第一の回路（８０，１４０，１４２）と、
前記ソケット（９４）と前記オーディオユニット（３０）との間に配置されたバッテリパックとの間で回路に接続されたリレー（１５０）と、
前記コード（７０）と前記オーディオユニット（３０）との間で回路に接続されているリレーコイル（１５２）であって、前記オーディオユニット（３０）に適用されるＡＣ電源の存在を監視し且つＡＣ電源が前記オーディオユニット（３０）に適用されているときに前記リレー（１５０）が回路を開くようにさせて前記オーディオユニット（３０）を前記バッテリパックから電気的に絶縁し、ＡＣ電源が前記オーディオユニット（３０）に適用されていないときには回路を閉じて前記バッテリパックが前記オーディオユニット（３０）に電力を供給するのを可能にするようになされた前記リレーコイル（１５２）とを含む装置。
【請求項２】
請求項1に記載の装置であって、
前記コード（７０）及びプラグ（７２）がＡＣ電源に接続されるとＡＣ電源が前記ソケットに電力を供給できるように、前記第一の回路（８０，１４０，１４２）内に接続されている少なくとも１つのＡＣ電源ソケット（１００）を更に含んでいる装置。
【請求項３】
請求項１に記載の装置であって、
前記第一の回路（８０，１４０，１４２）内に接続されたＡＣ−ＤＣコンバータ（１５４）と、前記コンバータ（１５４）に接続されている少なくとも１つのＤＣ電源ソケットとを更に含んでいる装置。
【請求項４】
請求項２に記載の装置であって、
前記少なくとも１つのＡＣ電源ソケット（１００）と前記コード（７０）との間で前記第一の回路（８０，１４０，１４２）内に接続されている漏電遮断器（１０４，１０６）を更に含んでいる装置。
【請求項５】
請求項１に記載の装置であって、
前記オーディオユニット（３０）がラジオを含んでいる装置。
【請求項６】
請求項５に記載の装置であって、
前記オーディオユニット（３０）がＣＤプレーヤを更に含んでいる装置。
【請求項７】
請求項１に記載の装置であって、
前記ハウジング（１０）が概して平行六面体形状である装置。
【請求項８】
請求項７に記載の装置であって、
前記ハウジング（１０）が概して立方体形状である装置。
【請求項９】
請求項７に記載の装置であって、
蓋の無い立方形形状であり、各々の脚部が他の２つの脚部に直角に結合されており、前記ハウジング（１０）よりも大きく且つ多数の結合点において取り付けられており、前記ハウジング（１０）のための保護を提供しているフレーム構造（１２０）を更に含んでいる装置。
【請求項１０】
請求項９に記載の装置であって、
前記フレーム構造（１２０）が、８つのコーナーにおいてコネクタ嵌合部（１２４）によって相互に結合されている複数の細長い概して円筒形のフレーム部材（１２２，１３２）を含んでいる装置。
【請求項１１】
請求項１０に記載の装置であって、
前記ハウジング（１０）が、頂部（１６）、底部、前壁、後壁及び２つの側壁（１２，２２）を有しており、頂部（１６）と２つの側壁（１２，２２）と底部と２つの側壁（１２，２２）との境界部に配置された凹部と、各凹部内に配置され且つ両端が当該ハウジング（１０）に取り付けられているハウジング（１０）の細長い円筒形の部材と、各ハウジング（１０）の部材及び隣接するフレーム部材に取り付けられて前記フレーム構造（１２０）を前記ハウジング（１０）に結合している複数の連結コネクタ（１３４）と、を含んでいる装置。
【請求項１２】
請求項１に記載の装置であって、
前記オーディオユニット（３０）が、作動制御装置と前記ハウジング（１０）の前壁内に配置されているディスプレイとを備えている装置。
【請求項１３】
請求項１に記載の装置であって、
前記充電器（８４）によって充電するためのバッテリパックを収容するためのソケット（９４）を含んでいるチャンバ（９２）にアクセスするために前記後壁内に配置されているアクセスドアを更に含んでいる装置。
【請求項１４】
請求項２に記載の装置であって、
前記第一の側壁内に少なくとも１つのＡＣ電源ソケット（１００）が配置されている装置。
【請求項１５】
請求項１に記載の装置であって、
前記コード（７０）及びプラグ（７２）が第二の側壁から延びており、当該第二の側壁上にコード（７０）巻き付け構造を更に含んでいる装置。
【請求項１６】
請求項１に記載の装置であって、
前記頂部（１６）が凹部を有し、当該凹部は、当該凹部を横切って延びている橋渡し部分を備え且つ当該装置を搬送するためのハンドルを形成している装置。
【請求項１７】
オーディオ出力を提供し且つ取り外し可能なバッテリパックを充電するためのオーディオ電源ユニットであって、
前壁、後壁、左側壁及び右側壁（１２，２２）、頂壁（１６）並びに底壁を有する概して平行六面体形状であるハウジング（１０）と、
前記取り外し可能なバッテリパックを充電するために前記ハウジング（１０）内に配置されているソケット（９４）を含んでいる充電器（８４）と、
前記ハウジング（１０）内に配置されてオーディオ出力を発生するためのオーディオユニット（３０）と、
ＡＣ電源に接続するためのコード（７０）及びプラグ（７２）と、
前記コード（７０）を前記充電器（８４）及び前記オーディオユニット（３０）に接続する回路であって、ＡＣ電源が前記オーディオユニット（３０）に適用されて当該オーディオユニット（３０）に電力が供給され、ＡＣ電源はまた前記充電器（８４）にも適用されるようになされ、ＡＣ電源が前記オーディオユニット（３０）に適用されるときに前記オーディオユニット（３０）を前記バッテリパックから電気的に絶縁するようになされており、ＡＣ電源が前記オーディオユニット（３０）に適用されていないときには、前記バッテリーパックを接続して前記オーディオパックを接続して前記オーディオユニット（３０）に電力を供給する回路とを含むオーディオ電源ユニット。
【請求項１８】
請求項１７に記載のオーディオ電源ユニットであって、
前記回路が更に、
前記ソケット（９４）内に配置されたバッテリパックと前記オーディオユニット（３０）との間で回路に接続されたリレー（１５０）と、
前記コード（７０）と前記オーディオユニット（３０）との間に接続されたリレーコイル（１５２）であって、前記オーディオユニット（３０）に適用されるＡＣ電源の存在を監視し且つＡＣ電源が前記オーディオユニット（３０）に適用されたときに前記リレー（１５０）に回路を開かせ且つ前記オーディオユニット（３０）を前記バッテリパックから分離させ、ＡＣ電源が前記オーディオユニット（３０）に適用されていないときに回路を閉じて前記バッテリパックが前記オーディオユニット（３０）に電力を供給できるようにしているリレーコイル（１５２）と、を含むオーディオ電源ユニット。
【請求項１９】
請求項１７に記載のオーディオ電源ユニットであって、
蓋の無い平行六面体形状のフレーム構造（１２０）であって、各脚部が他の２つの脚部に直角に結合されており、前記ハウジング（１０）よりも大きく、多数の結合点において取り付けられており、前記ハウジング（１０）のための保護を提供する前記フレーム構造（１２０）を更に含んでいるオーディオ電源ユニット。
【請求項２０】
請求項１９に記載のオーディオ電源ユニットであって、
前記フレーム構造（１２０）が、８つのコーナーにおいてコネクタ嵌合部材（１２４）によって相互に結合されている複数の細長い概して円筒形のフレーム部材（１２２，１３２）を含んでいるオーディオ電源ユニット。
【請求項２１】
請求項２０に記載のオーディオ電源ユニットであって、
前記ハウジング（１０）が頂部（１６）と前記底部及び前記２つの側壁（１２，２２）との境界部に配置されている凹部と、各凹部内に配置され且つ両端が前記ハウジング（１０）に取り付けられている細長い円筒形ハウジング（１０）部材と、各ハウジング（１０）部材及び隣接するフレーム部材に取り付けられて前記フレーム構造（１２０）を前記ハウジング（１０）に結合している複数の連結コネクタ（１３４）とを有するオーディオ電源ユニット。
【発明の詳細な説明】
【発明の分野】
【０００１】
本発明は、概して携帯型のオーディオ及びバッテリパック充電装置に関する。
【背景技術】
【０００２】
コードレス電動工具は、電源が容易に入手できないか又は便利な電源を備えていない場所においてしばしば見出され且つ使用される。これらの場所としては、建設現場及び部分的に完成したビルディングがある。このような場所では、バッテリによって作動される工具は明白な利点を付与するけれども、バッテリパックは、最終的には、消耗され且つ充電が必要になる。幾らかのユーザーは終日持ちこたえるように十分な数のバッテリパックを持って来るけれども、建設のある段階においては、少なくとも一時的に電力供給を受け、建設現場においてバッテリパックを充電することが可能となるかも知れない。この一時的な電力供給の位置は実際の作業場所から幾分離れているかも知れず、充電器がユーザーから幾分離れているかも知れないので、このことは充電作業の的確な完了を妨げるかも知れないという問題が起こり得る。例えば、別の作業者が、自分自身のために使用するためにバッテリパックを持ち去るか、又は利用できるソケットの数が限られているかも知れないので何らかの他の作業が行うために充電器が単にコンセントから引き抜かれるかも知れない。
【０００３】
作業者はまた、作業中に音楽及びその他のプログラムを聞くことができるように携帯用のラジオのようなオーディオ機器を建設現場に持って行くことをも好む。建設現場は、明白な理由により始終オーディオ機器にとって壊され易い熾烈な環境を付与することが良く知られている。
【発明の開示】
【０００４】
オーディオ出力を付与し且つ取り外し可能なバッテリパックを充電するばかりでなくＡＣ電源に接続されると他の工具等に電力を供給するための多数のＡＣソケットを提供するオーディオ電源ユニットの好ましい実施形態が開示されている。このユニットは、任意にＤＣ電源を提供することもできる。当該ユニットがＡＣ電源に接続されると、ＡＣ電源は、ラジオ又はラジオとＣＤプレーヤーとの組み合わせであっても良いオーディオユニットを駆動し、ＡＣ電源はまた、バッテリパックが充電ソケットに挿入されている場合にはバッテリパックを充電する充電器に電力を付与することもできる。当該ユニットがＡＣ電源に接続されていない場合には、ラジオは、充電ソケット内に配置されているときにバッテリパックによって電力を供給されても良い。当該ユニットがＡＣ電源に接続されているときには、リレーが開いて、ラジオユニットを充電器及びバッテリパックから分離する。
【０００５】
当該ユニットは、当該ユニットのハウジングに結合されている独特のフレーム構造を備えている。本発明の好ましい実施形態はまた、リレーを含む回路をも備えており、当該リレーは、ＡＣ電源がオーディオユニットに適用されていることをリレーコイルが検知したときに、バッテリパック及び充電器をオーディオユニットから分離するようになされている。ＡＣ電源が検知されない場合には、当該リレーは閉じられてバッテリパックがオーディオユニットを駆動することができる。
【図面の簡単な説明】
【０００６】
【図１】図１は、本発明の好ましい実施形態の前方左手の斜視図である。
【図２】図２は、図１に示された好ましい実施形態の前方の平面図である。
【図３】図３は、図１に示された好ましい実施形態の後方左手の斜視図である。
【図４】図４は、図１に示された好ましい実施形態の後壁の平面図である。
【図５】図５は、図１に示された好ましい実施形態の後壁の平面図であり、充電ソケットを示すためにドアが開かれている。
【図６】図６は、図１に示された好ましい実施形態の左側平面図である。
【図７】図７は、図１に示された好ましい実施形態の右側平面図である。
【図８】図８は、図１に示された好ましい実施形態の頂部の平面図である。
【図９】図９は、本発明の好ましい実施形態の簡素化された電気回路図である。
【発明の実施の形態】
【０００７】
オーディオユニットを充電する携帯バッテリの好ましい実施形態が図面に示されており、当該携帯バッテリは、符号１０によって全体が示されているハウジングを含んでおり、当該ハウジングは立方体の形態であるが、所望ならば、立方体ばかりでなく何らかの他の容積形状とすることができる。図示されているように、当該ハウジングは、前面又は前壁１２、左側面又は壁１４、頂面１６、後壁２０（図４参照）及び右側面又は壁２２を含んでいる。ハウジング１０は、強靱なプラスチックその他の成形材料によって作られるのが好ましく且つ頑丈で強いユニット内に一緒に嵌合する２乃至３又は幾つかの部品によって構成されても良い。例えば、前壁１２及び後壁２０は、概して、相互に結合して１以上の部品とされる平らな一体部品としても良く、前壁、頂壁、底壁及び後壁は、六角頭ボルト又はねじ２４によって相互に結合される１、２又はそれ以上の構成部品として成形されるか若しくは形成することができる。ハウジング１０は立方体すなわち各壁の大きさがほぼ同じである形状であるけれども、ハウジングは、長さ、高さ及び幅のうちの１以上の大きさが他よりも大きい直平行六面体すなわち矩形の箱状の形状としても良く、又は珍しい容積をハウジングの壁によって規定しても良い。
【０００８】
好ましい実施形態は、全体が符号３０で示され且つユニットの前面１２に配置されているオーディオユニットを備えている。図１及び２に最も良く示されているように、オーディオユニットは、ボリュームコントローラ３４、チューニングコントローラ３６、局識別機能ばかりでなく現在の時間を表示するためのディスプレイ３８を備えているラジオを含んでいる。時間調節ボタン４０、４２及び４４が設けられており、ボタン４２は時間の設定を制御し、ボタン４４は分の設定を制御する。ＣＤプレーヤもまたユニット３０の部品として設けられており、ＣＤトレイ４６がコントロールパネル３２上に配置されている。イジェクトボタン４８、ポーズ又はスタンバイボタン５０ばかりでなく、各々コントロールパネル３２上に配置されたフォワード及びバックワード調節ボタン５２及び５４も設けられている。スピーカ５６、５８、６０及び６２もまた設けられ且つコントロールパネル３２の下方に配置されている。
【０００９】
当該ユニットは、図６に最も良く示されている３−プロングプラグ７２を有するコード７０を使用しているＡＣ電源に接続又は差し込むことができる。当該ユニットは、正方形形状に配列され且つその周囲にコードを巻き付けて収納することができる４つの外方へ延びるフランジ７４を含んでいるコード巻き付け構造を有している。フランジは、各々、側壁１４に取り付けるためのベース部分７６を備え且つねじ７８等によって当該ベース部分７６に結合されている。フランジ７４は、所望ならば、側壁１４と一体に形成されても良いことも理解されるべきである。説明されるべき回路のためのヒューズ８０は、ソケットの穴内に挿入することができるラバー等の材料によって作るのが好ましい取り外し可能な可撓性のプラグによって構成要素から保護されているＤＣソケット８２のように、左側壁１４からアクセス可能である。
【００１０】
当該ユニットは、図４に示されているように充電器ドア８６を介してアクセス可能であるハウジングの内部に配置された充電器を備えている。上端には、ドアを閉じた状態に保持するために相補的な面と係合するけれども、ユーザーが難なく容易に開けることができるハンドル８８が設けられている。ドアの下端に設けられたヒンジ９０は、図５に示されているようにチャンバの底部にソケット９４を有している保持チャンバ９２を現れさせるようにドアが開かれるのを可能にする。ソケット９４の形状は、Ｒｏｂｅｒｔ  Ｂｏｓｃｈ  Ｔｏｏｌ  Ｃｏｒｐｏｒａｔｉｏｎによって市販されているもののようなバッテリパックを受け入れるように相補形状とされている。充電中にバッテリパックを定位置に保持するために多数のばねクリップ９６もまた設けられており、これは、コード７８がＡＣ電源に接続されるときに必要とされる。
【００１１】
図７を参照すると、右側側壁１６上には、一対の二重ＡＣ差し込み口１００が、差し込み口の対の上方にヒンジ結合されているドア１０２（一方のみが示されている）の下に配置されている。これらは標準的な二重ソケットであっても良いけれども、特に、ユニットが過酷な気象状態に曝されるかも知れない場合には、ユーザーのための特別な安全手段を提供する漏電遮断器であるのが好ましい。漏電遮断器にとっては標準的であるように、リセットボタン１０４及びテストボタン１０６が設けられている。
【００１２】
図８を参照すると、ユニットを便利に搬送するために、ユニットの頂面１８はハンドル１０８を備えており、ハンドル１０８は、凹部を横切って延びており且つユニットを搬送するために凹部と協働して使用することができるハンドル１０８を形成している橋渡し部分１１２を有している概して半球状の凹部１１０によって形成されている。凹部の大きさは、ユーザーが橋渡し部分１１２を把持するために自分の手を凹部内へ容易に挿入することができるように十分に大きいことは明らかである。
【００１３】
図面から明らかなように、当該ユニットは、全体が符号１２０で示されているフレーム構造を有しており、このフレーム構造は事実上全ての図面に示されているけれども、図２、４及び８に最も良く示されている。フレーム構造１２０は、各方向の寸法がハウジング１０よりも大きく、それによって、ハウジング自体の保護構造を提供するばかりでなく、ハウジングの前面、後面及び側面の各々の上に存在している構成部品をも提供している。フレーム構造２０の形態は、好ましい実施形態においては蓋がされていない立方体形状であるが、所望ならば、蓋がされていない平行六面体とすることもできる。このフレーム構造は、中空のアルミニウムによって作られるのが好ましい多数の細長い円筒形ロッド１２２を有している。図面から明らかなように、ロッドが２つの壁の各々の境界部に対して隔置関係で延びている。フレーム構造１２０の８つのコーナーの各々において生じる３つの壁の交点において、３つの円筒形のロッド１２２が三方向結合部材１２４で終端しており、この三方向結合部材１２４は、損傷を起こすことなく研磨処理に耐えることができる堅牢で硬質のプラスチック又はプラスチック状材料によって作られるのが好ましい。図２及び４に最も良く示されているように、当該結合部材の各々は一対の止めねじ１２６を備えており、当該止めねじの対は、結合部材１２４の穴に嵌合し且つこれらの図面に示されているように水平方向か垂直方向において円筒形ロッド１２２の側部と係合し、図２及び４に示されているように水平方向及び垂直方向を横切る方向に配向されているロッド１２２と係合するように位置決めされている六角頭ねじ１２８からなる。止めねじ１２８は、中空ロッド１２２の内径と係合しても良く又はロッドに対する結合部材の確実な取り付けが達成されるように、円筒形ロッド１２２に対してこのような横木の各端部内に挿入されるプラグその他の部材と係合しても良い。ねじ１２６に関して、これらは単にロッドの外面に対して締結することができ、これらのねじは、これらのロッド内でロッドの側面に接触するか又は側部にねじ止めしても良い。
【００１４】
図１及び８に最も良く示されているように、ハウジングは、当該ハウジングの頂部及び側部のみならずハウジングの側部のコーナーに配置されている細長い凹部１３０を備えている。好ましくは同じ構造及び外径１３２を有しているより短い円筒形のロッドが、各凹部内に嵌合しており且つハウジング内の対応する大きさの開口部内に嵌合することによって両端が固定されている。フレーム構造１２０は、その中をロッド１２２及び１３２が貫通することができる開口部を両端に有している結合リンク１３４によって、これらのロッド１３２に結合されている。各凹部１３０の端部にはリンク１３４が設けられており、このことは、当該フレーム構造１２０をハウジング１２に固定するために全体でこれらのうちの８個が使用されることを意味している。リンク１３４は、ユニットが建設現場で受ける典型的な荒っぽい取り扱いによって容易に損傷を受けないように、結合部材１２４と同じ材料によって作られるのが好ましい。
【００１５】
図９を参照すると、本発明を実施しているユニットの電気回路図が示されており、当該回路図においては、オーディオユニット３０は、ヒューズ８０及び線１４０及び１４２によってコード７０に接続された状態で示されている。アース１４４もまた、差し込み口１００からプラグ７２まで延びている。線１４０及び１４２はまた、差し込み口１００のみならず充電器８４まで延びており、充電器８４は、取り外し可能なバッテリを挿入することができるソケット９４まで延びている出力線１４６及び１４８を有している。線１４６及び１４８はまた線１４０及び１４２内に電流が流れているか否かを検知するリレーコイル１５２によって制御されているリレー１５０まで延びている。リレー１５０は、オーディオユニットがＡＣ電源によって駆動されていることを意味するＡＣ電源にプラグ７２が接続されているときに開いているノーマルクローズ型のリレーである。当該オーディオユニットは実際にはＤＣ電圧で作動しても良く且つその構成の一部として内部電圧コンバータを有していても良いことが理解されるべきである。
【００１６】
ＤＣ差し込み口８２に電力を供給するために別のコンバータ１５４が設けられても良い。プラグ７２がＡＣ電源に接続されているときに、充電器８４は、ソケット９４内に配置されている場合には取り外し可能なバッテリを充電するように機能し、差し込み口１００は、ＤＣ差し込み口８２のように、他の工具、ライト等に電力を供給するために利用可能である。プラグ７２がＡＣ電源から取り外されている場合には、リレー１５０は、回路に接続されて、取り外し可能なバッテリは、オーディオユニットに接続され且つオーディオユニットに電力を供給することができるであろう。リレーが図面に示されているように回路を遮断しているときには、充電器はオーディオユニットに電力を供給することができず、充電器８４が常駐バッテリ又は線１４０及び１４２を介してＡＣ電源以外の他の電源を有しない限り、ＡＣ電源が回路に適用されないときにはオーディオユニット３０に電力を供給することができないことは理解されるべきである。
【００１７】
以上、本発明の種々の実施形態を図示し且つ説明したけれども、他の変形、置換及び代替が当業者に明らかであることは理解されるべきである。このような変形、置換及び代替は、特許請求の範囲から決定されるべきである本発明の精神及び範囲から逸脱することなく行うことができる。
【００１８】
本発明の種々の特徴は特許請求の範囲に記載されている。 
【図１】
2011152039.tif 000003
【図２】
2011152039.tif 000004
【図３】
2011152039.tif 000005
【図４】
2011152039.tif 000006
【図５】
2011152039.tif 000007
【図６】
2011152039.tif 000008
【図７】
2011152039.tif 000009
【図８】
2011152039.tif 000010
【図９】
2011152039.tif 000011
【外国語明細書】
2011152039000001.pdf